(57)【要約】【課題】  本発明は、通常は従来の作業靴や長靴と同様に履用しながら、雪面．凍結面．泥土面等に遭遇した時などに緊急にスパイク靴に切替えて、それらの路面等に対応できる、踵にスパイクを内蔵した靴を提供することを目的としている。【解決手段】  この手段は、靴の踵を横方向に二分して踵上部と踵下部とし、該踵上部と踵下部の中間部、つまり踵上部の下面と踵下部の上面の双方に、縦横の溝を成形し、該溝には鋼．ステンレス等硬質の金属を素材とした丸棒を溝の形状と同様の形状に成形して、一体となったシャフトとスパイクを軸方向に回転自在に嵌め込み、更に、スパイクと同様に成形し、踵前方に突きだした先端をレバーとして起倒させることにより、該スパイクが踵底部の接地面に突出．収納することを特徴とする、踵にスパイクを内蔵した靴を提供する。【選択図】  図２
2006271941.tif 000002
【特許請求の範囲】
【請求項１】
靴の踵を横方向に二分して踵上部２と踵下部３とし、該踵上部２と踵下部３の中間部、つまり踵上部２の下面と踵下部３の上面の双方に、縦横の溝１０を成形し、該溝１０には鋼．ステンレス等硬質の金属を素材とした丸棒を溝１０の形状と同様の形状に成形して、一体となったシャフト４とスパイク５を軸方向に回転自在に嵌め込み、更に、スパイク５と同様に成形し、踵前方に突きだした先端をレバー６として起倒させることにより、該スパイク５が踵底部の接地面に突出．収納することを特徴とする、踵にスパイクを内蔵した靴。
【発明の詳細な説明】
【技術分野】
【０００１】  この発明は、踵にスパイクを内蔵した靴に関するものである。
【背景技術】
【０００２】  従来より、ゴルフシューズや野球のスパイクシューズに代表されるように、靴の底部にスパイクを設けた靴があり、又、冬期の登山に際しては登山靴に緊締するアイゼンがあるが、それらはいずれも当該目的のみの為の極めて特殊なものであり、通常時には履用しないものである。
【発明の開示】
【発明が解決しようとする課題】
【０００３】  本発明は、通常は従来の作業靴や長靴と同様に履用しながら、雪面．凍結面．泥土面等に遭遇した時などに緊急にスパイク靴に切替えて、それらの路面等に対応できる、踵にスパイクを内蔵した靴を提供することを目的としている。
【課題を解決するための手段】
【０００４】
【０００５】  この手段は、靴の踵を横方向に二分して踵上部と踵下部とし、該踵上部と踵下部の中間部、つまり踵上部の下面と踵下部の上面の双方に、縦横の溝を成形し、該溝には鋼．ステンレス等硬質の金属を素材とした丸棒を溝の形状と同様の形状に成形して、一体となったシャフトとスパイクを軸方向に回転自在に嵌め込み、更に、スパイクと同様に成形し、踵前方に突きだした先端をレバーとして起倒させることにより、該スパイクが踵底部の接地面に突出．収納することを特徴とする、踵にスパイクを内蔵した靴を提供する。
【発明の効果】
【０００６】
【０００７】  以上に説明したように本発明は、通常は従来の作業靴や長靴と同様に履用しながら、雪面．凍結面．泥土面等に遭遇した時などに緊急にスパイク靴に切替えて、それらの路面等に対応できる、踵にスパイクを内蔵した靴であり次のような効果を持つ。
１．寒冷地での冬期の日常生活に於いて履用しておれば、突然の凍結面．雪面．等に遭遇した時、極めて簡単な操作で靴底にスパイクを突出させることができ、前記の状況に対応できる。
２．屋外の作業時に於いて泥土面に対しても上記と同様の対応ができる。
３．作業靴．長靴のみならず、簡易な登山靴や冬季用の靴総てに採用でき、更に、革製のブーツにも採用できる。
４．近年首都圏で冬季の降雪．凍結時に通勤者のスリップによる骨折事故が多発しているが、これらに対応する安全な靴が提供できる。
５．収納も極めて容易であり、舗装路面．タイル面．カーペット面等に対しては靴を脱ぐことなく即時に切替えができる。
【実施例１】
【０００８】  本発明の実施例を図面に基づき記述すると、本発明は靴の踵を横方向に二分して踵上部２と踵下部３とし、該踵上部２と踵下部３の中間部、つまり踵上部２の下面と踵下部３の上面の双方に、縦横の溝１０を刻設し、該溝１０には鋼．ステンレス等硬質の金属を素材とした丸棒を溝１０の形状と同様の形状に成形して、一体となったシャフト４とスパイク５を軸方向に回転自在に嵌め込み、更に、スパイク５と同様に成形し踵前方に突きだした先端をレバー６として起倒させることにより、該スパイク５が踵底部の接地面に突出．収納することを特徴とする、踵にスパイクを内蔵した靴である。【０００９】  踵上部２の下面と踵下部３の上面に成形する溝１０の溝径はシャフトの直径とほゞ同径であり、溝１０の深さは上下ともそれぞれ溝径の二分の一に成形している。溝径がシャフト４の直径とほゞ同径であるのは、踵上部２及び踵下部３の素材である硬質ゴム等の押圧力でシャフト４の遊動を防ぐ為である。【００１０】  シャフト４の両端部にはシャフト支持具７を嵌入してあり、シャフト４の最前部にスパイク５と同形に成形され踵から突出しているレバー６を起倒させるとシャフト４は軸方向に固締感を持ちながら回転し、踵下部３のスパイク５を突出．収納させる為に切欠したスリット８からシャフト４に直角に成形したスパイク５が突出する。【００１１】  シャフト支持具７は、その外周に踵上部２と踵下部３の押圧を受けながら内径でシャフト４を遊嵌自在に嵌入している。【００１２】  長期に渡って履用者の体重を支持するシャフト４が、踵上面に突き出すような感覚を履用者が足裏で感じることがないよう踵上部２の下面とシャフト４の上部の間に薄鋼板１１を挟接している。尚、この薄鋼板１１はシャフト支持具７の部分を長形に切欠して薄鋼板のスリット１２としている。【００１３】  これら踵上部２下面と踵下部３の上面、及び薄鋼板１１は溝１０にシャフト４とスパイク５を嵌合させたのち熱着又は接着している。【００１４】  シャフト４．スパイク５及びレバー６は図５に示すように踵上部２の下面及び踵下部３の上面に成形された溝１１同様の形状に成形してあり、レバー６はスパイク５より短く成形してある為、レバー６を起こした状態であってもレバー６の先端が接地することはない。【００１５】  シャフト４に直角に成形したスパイク５の先端部は図１０に示すように丸棒を切断したままの形状（Ａ図）又は、丸棒の先端が接地面に垂立するように幾分折り曲げた形状（Ｂ図）に成形している。又、先端部は硬質の金属の結合又は焼き入れ等を施して硬度を増すことも考えられる。【００１６】  レバー６を起こす操作により突出したスパイク５は踵底面より僅かに突出しており、踵の前後方向から見た形状はスパイク５の基部より外側に向かって「ハ」の字状に開いている為、凍結面や雪面等を安定してグリップする。更に、「ハ」の字状に開いたスパイク５は踵下部３に切欠いたスリット８の両端に当たる為、「ハ」の字状がそれ以上拡がることはない。
【図面の簡単な説明】
【００１７】
【図１】靴底の平面図
【図２】靴の側面図（靴の上部は省略）
【図３】踵底面の平面図
【図４】踵の側面断面図（Ａ−Ａ′視）
【図５】スパイク等の説明図
【図６】踵上部及び踵下部に刻設した溝の平面図
【図７】踵下部の下面にシャフト及びスパイクを嵌入した状態を示す平面図
【図８】踵の後部断面図（Ｂ−Ｂ′視）
【図９】踵底部平面図
【図１０】薄鋼板の平面図
【図１１】スパイクの接地点の形状の拡大説明図
【符号の説明】
【００１８】    １  靴底
２  踵上部
３  踵下部
４  シャフト
５  スパイク
６  レバー
７  シャフト支持具
８  スリット
９  靴
１０  溝
１１  薄鋼板
１２  薄鋼板のスリット
【図１】
2006271941.tif 000003
【図２】
2006271941.tif 000004
【図３】
2006271941.tif 000005
【図４】
2006271941.tif 000006
【図５】
2006271941.tif 000007
【図６】
2006271941.tif 000008
【図７】
2006271941.tif 000009
【図８】
2006271941.tif 000010
【図９】
2006271941.tif 000011
【図１０】
2006271941.tif 000012
【図１１】
2006271941.tif 000013